(57)【特許請求の範囲】
【請求項１】
モジュラプラグが着脱自在に挿入されるプラグ挿入口を開口したハウジングと、
外部電線に接続される複数の端子片よりなりハウジング外に位置する接続端子部と、
プラグ挿入口を通してハウジングに挿入されたモジュラプラグの接触子に弾接するようにハウジング内に配列され前記各端子片にそれぞれ電気的に接続された複数のコンタクトよりなるコンタクト部と、
を有するモジュラジャックにおいて、
可撓性を有し複数の線路よりなる導体パターンを備えた長尺のプリント配線板の一端部から前記コンタクト部までの導体パターンの線路を信号の往路又は復路とし、前記コンタクト部から前記プリント配線板の他端部までの導体パターンの線路を信号の復路又は往路とするよう、コンタクト部から接続端子部までを前記プリント配線板に一体形成され、
前記プリント配線板は、往路の導体パターンと復路の導体パターンとがハウジング外部にて重なるように当該プリント配線板の長尺の略中央部を曲折して折り返されて、当該プリント配線板の該略中央部の表面部分の導体パターンが前記コンタクト部としてモジュラプラグと接触可能なように前記ハウジング内に収容され、
前記接続端子部が、前記ハウジングの外部へ延出した前記プリント配線板の一端部および他端部を重ねあわせた位置に設けられた、
ことを特徴とするモジュラジャック。
【発明の詳細な説明】
【０００１】
【発明の属する技術分野】
本発明は、主として信号伝送に用いられるモジュラジャックに関し、特にハウジングと接続端子部との位置関係を任意に変更できるモジュラジャックに関する。
【０００２】
【従来の技術】
従来より、通信ケーブルを相互にあるいは他の装置に接続するためにモジュラジャックが用いられている。とくに、EthernetによるＬＡＮ（ローカルエリアネットワーク）システムを構築する上で、比較的短距離の通信用であれば４対８芯のツイストペア線をシースに収納したツイストペアケーブルが広く用いられている。この種のケーブルは、比較的安価でありケーブルが細いから配線しやすいという利点がある。
【０００３】
ところで、図２４、図２５に示すように、モジュラジャックはモジュラプラグが着脱自在に挿入されるプラグ挿入口１ａを備えたハウジング１を有し、ハウジング１内にはプラグ挿入口１ａを通してハウジング１に挿入されたモジュラプラグ２の接触子（不図示）に接触可能なコンタクト３が配列されている。コンタクト３はハウジング１の外面に設けたリード線接続部４にそれぞれ電気的に接続されている。また、ハウジング１外には上述したツイストペアケーブルのような電線５と接続するための接続端子部６が設けられている。ここで、ハウジング１は、モジュラプラグ接続時だけポップアップしてプラグ挿入口１ａを外部に露出し、それ以外のときは収納しておけるように、取付面７に対して所定の角度だけヒンジ部８を中心として回動自在となっている。ハウジング１が回動自在となるために、接続端子部６は固定しておき、図２６に示すように、リード線接続部４と接続端子部６とを可撓性を有するリード線９で接続していた。電線５とモジュラジャックとをリード線９及び接続端子部６を介して接続するのは、ハウジング１の回動の繰り返しにより、電線５の接続部分が破損することを防止するためである。この構成のモジュラジャックにおいては、ハウジング１が回動しても、該動作の影響をリード線９が吸収して、接続端子部６と電線５との接続部分は影響を受けないようになっている。
【０００４】
以上のようなモジュラジャックにあっては、必要時だけハウジング１を回動させてプラグ挿入口１ａを露出させ、不要時にはハウジング１を反対方向に回動させてプラグ挿入口１ａを収納し、モジュラジャックの取付面７を略面一となすことができるものである。
【０００５】
【発明が解決しようとする課題】
上述のような図２４、図２５に示すモジュラジャックは、リード線接続部４においてリード線９を接続している。そして、リード線９とリード線接続部４との間では、両者の導体の太さ等の特性が異なるため、不連続部分が生じ、インピーダンス不整合反射や漏話等の要因となるという問題点があった。また、ハウジング１の回動により、可撓性のリード線９自体の形状変化も大きく、リード線９のインピーダンス変化や漏話結合などの変化もあり、高周波信号を伝送するのには不都合な要因を有しているという問題点があった。
【０００６】
本発明は、上記問題点を改善するために成されたもので、その目的とするところは、不連続部分をなくして高周波信号の伝送に都合のよいモジュラジャックを提供することにある。
【０００７】
【課題を解決するための手段】
本発明のモジュラジャックは上記の問題を解決するために、
モジュラプラグが着脱自在に挿入されるプラグ挿入口を開口したハウジングと、
外部電線に接続される複数の端子片よりなりハウジング外に位置する接続端子部と、
プラグ挿入口を通してハウジングに挿入されたモジュラプラグの接触子に弾接するようにハウジング内に配列され前記各端子片にそれぞれ電気的に接続された複数のコンタクトよりなるコンタクト部と、
を有するモジュラジャックにおいて、
可撓性を有し複数の線路よりなる導体パターンを備えた長尺のプリント配線板の一端部から前記コンタクト部までの導体パターンの線路を信号の往路又は復路とし、前記コンタクト部から前記プリント配線板の他端部までの導体パターンの線路を信号の復路又は往路とするよう、コンタクト部から接続端子部までを前記プリント配線板に一体形成され、
前記プリント配線板は、往路の導体パターンと復路の導体パターンとがハウジング外部にて重なるように当該プリント配線板の長尺の略中央部を曲折して折り返されて、当該プリント配線板の該略中央部の表面部分の導体パターンが前記コンタクト部としてモジュラプラグと接触可能なように前記ハウジング内に収容され、
前記接続端子部が、前記ハウジングの外部へ延出した前記プリント配線板の一端部および他端部を重ねあわせた位置に設けられた、
ことを特徴とするものである。
【００１１】
【発明の実施の形態】
本発明にかかるモジュラジャックの参考形態を図１から図１８に基づいて、実施の形態を図１９、図２０、図２３に基づいて説明する。なお、実施の形態の理解を助けるため、図２１と図２２も説明する。
【００１２】
〔第一の参考形態〕図１は第一の参考形態のモジュラジャックの分解斜視図である。図２は第一の参考形態のモジュラジャックの外観を示す斜視図である。図３はプリント配線板のコンタクト部の平面図である。図４はプリント配線板のコンタクト部の平面図である。図５はモジュラプラグのモジュラジャックへの挿入動作を示す側面図であり、（ａ）は挿入前、（ｂ）は挿入後の状態を示している。図６はモジュラプラグをモジュラジャックに挿入した状態において、ハウジングが移動した場合にプリント配線板が撓む様子を示した側面図である。図７乃至図１０はプリント配線板の導体パターンを示す平面図である。
【００１３】
図１において、モジュラジャックは、ハウジング１１と、プリント配線板１２とを有して構成してある。
【００１４】
ハウジング１１は、モジュラプラグが着脱自在に挿入されるプラグ挿入口１１ａを前面に開口している略直方体である。またハウジング１１の背面もプリント基板１２の挿入のため開口部１１ｂが設けられている。
【００１５】
プリント配線板１２は、可撓性を有し複数の線路よりなる導体パターンを備えた長尺物であり、一端部に接続端子部１２ａを備え、他端部にコンタクト部１２ｂを備えている。そして、プリント配線板１２の他端部はＪ字状に弾性を有して折り曲げられてハウジング１１内に収納して固定され、一端部はハウジング１１の外部に位置するようになしされている。
【００１６】
コンタクト部１２ｂは、プラグ挿入口１１ａを通してハウジング１１に挿入されたモジュラプラグの接触子に弾接するようにハウジング１１内に配列され接続端子部１２ａの端子片にそれぞれ電気的に接続された複数のコンタクト１２ｃ，１２ｃ，…で構成されている。コンタクト１２ｃ，１２ｃ，…は、具体的には、プリント配線板１２の他端部の折り曲げられた外側の表面部分の導体パターンを露出させて形成してある。そして、図３に示すように、各コンタクト１２ｃ，１２ｃ，…の間には、スリット１２ｄ，１２ｄ…が設けてある。スリット１２ｄは、ハウジング１１挿入されるモジュラプラグの接触子間の隔壁部分を挿通するものであり、この第一の参考形態では、スリット１２ｄ，１２ｄ，…は長孔により形成してある。
【００１７】
接続端子部１２ａは、外部電線である４対８芯のツイストペアケーブルＬに接続される複数の端子片１２ｅ，１２ｅ，…で構成してあり、プリント配線板１２の導体パターンとツイストペアケーブルＬとを接続するものである。端子片１２ｅは端子台１２ｆから上面に突出し、前後２列に配列されている。端子片１２ｅは、一対の歯の間に上端縁を開放した圧接スリットを有するフォーク状に形成された圧接形のものであって、圧接スリットの幅は接続するツイストペアケーブルＬの各電線の芯線に圧接スリットの両側縁が圧接する程度に設定されている。つまり、絶縁被覆を有する電線を圧接スリットに上方から圧入すると、電線の絶縁被覆を圧接スリットの両側縁で切ることにより絶縁被覆を剥ぎながら圧接スリットの中に芯線を導入し、圧接スリットの両側縁間に芯線を挟持するようになっている。なお、この第一の参考形態では接続端子部１２ａとして圧接形の端子片１２ｅを用いているが、これに限られるものではなく、導体パターンとツイストペアケーブルＬとを接続できるものであればよい。従って、導体パターンを露出させて該導体パターンとツイストペアケーブルＬの各電線とを圧着スリーブで固定するようにしてもよい。
【００１８】
プリント配線板１２の導体パターンは、図７に示すように、各々の線路が鋸歯形状に一定間隔でジグザクに折れ曲がっており、隣接する２つの導体パターンによりツイスト状に配設されている。そして、該２つの線路が接触しないように、ツイスト状になされた一方の線路はプリント配線板１２の表面に、他方の線路はプリント配線板１２の裏面に設けられている。図７中の実線は表面の線路を示し、破線は裏面の線路を示している。このようにして線路をツイスト状にすることにより、接続端子部１２ａにおける漏話やインピーダンス性能劣化を防止することができる。また、他の導体パターンとして、図８に示すように、隣接する２つの線路の一部１２ｉを交差させるものや、図９に示すように、線路の一部を隣接する線路に近接させるいわゆる近接導体パターン１２ｈを付加したものや、図１０に示すように、線路の周辺やプリント配線板内層にグランドパターン１２ｇを設けたものでもよい。線路の一部を交差させるものや近接導体パターンを付加したものにあっては、漏話やインピーダンス性能劣化を防止することができ、グランドパターンを設けたものにあっては、更に外来ノイズに対するシールド性能も付加することができる。
【００１９】
以上のようにして構成したモジュラジャックにあっては、図５（ａ）、図５（ｂ）に示すように、モジュラプラグ１３をプラグ挿入口１１ａからハウジング１１に挿入すると、モジュラプラグ１３の接触子に各コンタクト１２ｃが弾接する。そして、ハウジング１１が図６に示すように、移動若しくは回動した場合であっても（図６では便宜上、ツイストペアケーブルＬ側を移動させた図としている）、プリント配線板１２が撓むので、接続端子部１２ａとツイストペアケーブルＬとの接続部分に外力が加わることが無く、よって破損しにくいものとなっている。更に、接続端子部１２ａからコンタクト部１２ｂまでをプリント配線板１２により一体のものとして形成しているので、継ぎ目による不連続部分を除去して伝送性能の劣化を防止でき、高周波信号の伝送に都合のよいものとなっている。また、モジュラジャックの構成部品点数を減少させることにより、部品や組立のコストダウンが可能となるという利点もある。そして、プリント配線板の端部にコンタクト部１２ｂを形成しているので、製造し易いものとなっている。
【００２０】
〔第二の参考形態〕図１１は第二の参考形態のモジュラジャックの断面図である。図１２はモジュラジャックにモジュラプラグを挿入した状態の断面図である。図１３はモジュラジャックの断面図である。図１４はモジュラジャックにモジュラプラグを挿入した状態の断面図である。なお、図１１乃至図１４においては前述の第一の参考形態で説明したところのモジュラジャックと同等の箇所には同じ符号を付してあるので、同等の箇所の詳細な説明は省略する。
【００２１】
図１１、図１２に示す第二の参考形態のモジュラジャックが、前述の第一の参考形態で説明したところのモジュラジャックと異なり特徴となるのは次の構成である。
【００２２】
即ち、プリント配線板１２の他端部の近傍を一方向（図１１中の上方）に折り曲げて、該近傍部分と先端部分との中間位置で先程とは反対方向（図１１中の下方）に再度折り曲げて、先端片１２ｊがモジュラプラグ１３の接触子に対向するように、他端部をへ字型の山状に形成した構成である。該構成の先端片１２ｊはコンタクト部１２ｂを形成しており、プラグ挿入口１１ａを通してハウジング１１に挿入されたモジュラプラグ１３の接触子に弾接する。そして、モジュラプラグ１３がプラグ挿入口１１ａからハウジング１１に挿入されると、図１２に示すように、モジュラプラグ１３の接触子に各コンタクト１２ｃが弾接する。また、図１３に示すように、先端片１２ｊを図１３中の下方に一度折り曲げることにより山形を形成してもよい。この場合にあっても、先端片１２ｊがモジュラプラグ１３の接触子に対向するようになしてあるので、プラグ挿入口１１ａを通してハウジング１１にモジュラプラグ１３が挿入されると、図１４に示すように先端片１２ｊのコンタクト部はモジュラプラグ１３の接触子に弾接する。
【００２３】
以上のようにして構成したモジュラジャックにあっては、接続端子部１２ａからコンタクト部１２ｂまでをプリント配線板１２により一体のものとして形成しているので、継ぎ目による不連続部分を除去して伝送性能の劣化を防止でき、高周波信号の伝送に都合のよいものとなっている。
【００２４】
〔第三の参考形態〕図１５は第三の参考形態のモジュラジャックの断面図である。図１６は第三の参考形態のモジュラジャックにモジュラプラグを挿入した状態の断面図である。図１７は本発明のモジュラジャックの断面図である。図１８は第三の参考形態のモジュラジャックにモジュラプラグを挿入した状態の断面図である。なお、図１５乃至図１８においては前述の第一、第二の参考形態で説明したところのモジュラジャックと同等の箇所には同じ符号を付してあるので、同等の箇所の詳細な説明は省略する。
【００２５】
図１５、図１６に示す第三の参考形態のモジュラジャックが、前述の第一、第二の参考形態で説明したところのもモジュラジャックと異なり特徴となるのは次の構成である。
【００２６】
即ち、コンタクト部１２ｂを弾性支持する支持部材１４をハウジング１１内部に設けた構成である。具体的には、図１５に示すように、支持部材１４は、ハウジング１１の背面部から突設され、先端が自由端の片持ち梁状の板体である。支持部材１４はプリント配線板１２と略平行になしてある。そして、支持部材１４は、コンタクト部１２ｂがモジュラプラグ１３の接触子に弾接していない状態にあっては図１５に示すように、コンタクト部１２ｂから殆ど外力を加えられない状態でコンタクト部１２ｂと接触するように配置してある。一方、コンタクト部１２ｂがモジュラプラグ１３の接触子に弾接した場合には、図１６に示すように、コンタクト部１２ｂの撓みに応じて、支持部材１４もコンタクト部１２ｂに押圧されて撓むようになしてある。
【００２７】
以上のようにして構成したモジュラジャックにあっては、コンタクト部１２ｂを支持部材１４が弾性支持するので、より確実にコンタクト部１２ｂとモジュラジャック１３の接触子との接触圧を得ることが可能である。また、支持部材１４の厚みや形状を調整して支持部材１４の弾性を調整することにより、コンタクト部１２ｂとモジュラジャック１３の接触子との接触圧を容易に調整することができる。
【００２８】
なお、弾性部材１４の形状は第三の参考形態に示すものに限られるものではなく、コンタクト部１２ｂを弾性支持できるものであればよい。例えば、図１７、図１８に示すように、弾性部材１４の先端に弾性部材１４とは略直角に直立片１４ａを立設して、直立片１４ａの先端でもってコンタクト部１２ｂを弾性支持するようにしてもよい。この場合、直立片１４ａと弾性部材１４との双方の撓みによりコンタクト部１２ｂを支持することができる。
【００２９】
〔本発明の実施の形態〕図１９は本発明のモジュラジャックの断面図である。図２０は本発明のモジュラジャックにモジュラプラグを挿入した状態の断面図である。なお、図２１と図２２は参考例を示しており、図２１はモジュラジャックの断面図、図２２はモジュラジャックにモジュラプラグを挿入した状態の断面図である。図２３は本実施の形態のプリント配線板の導体パターンを示す平面図である。なお、図１９乃至図２２においては前述の第一乃至第三の参考形態で説明したところのモジュラジャックと同等の箇所には同じ符号を付してあるので、同等の箇所の詳細な説明は省略する。
【００３０】
図１９、図２０に示す本実施の形態のモジュラジャックが、前述の第一乃至第三の参考形態で説明したところのモジュラジャックと異なり特徴となるのは次の構成である。
【００３１】
即ち、図１９、図２０に示すように、プリント配線板１２の略中央部で折り返して、コンタクト部１２ｂを該略中央部の外側に設けるとともに、図２３に示すように、プリント配線板１２の一端部からコンタクト部１２ｂまでの導体パターンの線路を信号の往路とし、コンタクト部１２ｂから前記プリント配線板１２の他端部までの導体パターンの線路を信号の復路とした構成である。
【００３２】
具体的には、プリント配線板１２は略中央部で折り返されるとともに、コンタクト部１２ｂの部分がモジュラプラグ１３の接触子に対向するように傾斜面となされており、またハウジング１１の外部でプリント配線板１２の往路の導体パターン部分と復路の導体パターン部分とが重なるように、コンタクト部１２ｂ近傍を適宜折り曲げてある。プリント配線板１２の往路の導体パターン部分と復路の導体パターン部分とをハウジング１１外部にて重なるようにしておくことにより、ハウジング１１の移動や回動に対してプリント配線板１２ｂが撓みやすくなっている。プリント配線板１２の導体パターンは図２３に示すように隣接する線路がツイスト状になされている。
【００３３】
以上のようにして構成されたモジュラジャックにあっては、接続端子部１２ａからコンタクト部１２ｂまでをプリント配線板１２により一体のものとして形成しているので、継ぎ目による不連続部分を除去して伝送性能の劣化を防止でき、高周波信号の伝送に都合のよいものとなっている。
【００３４】
また、コンタクト部１２ｂは、プリント配線板１２の略中央部に設けてあるので、プリント配線板１２の先端に設けた場合にくらべて、姿勢の維持が確実に行える。よって、より確実にモジュラプラグ１３の接触子とコンタクト部１２ｂとを接触させることができる。また、導体パターンの往路と復路とがプリント配線板１２の異なる部分に設けられているので、漏話を低減することがでる。
【００３５】
なお、本発明の実施の形態ではプリント配線板１２の往路の導体パターン部分と復路の導体パターン部分とをハウジング１１外部にて重なるようにしているが、この構成に比べて、参考例として、図２１、図２２に示すように、両部分がハウジング１１外においても離隔したものであってもよい。この場合、本発明の実施の形態に比べて、ハウジング１１の移動や回動に対してはプリント配線板はやや撓みにくくなるが、往路と復路のパターンが離隔しているため、本発明の実施の形態に比べて、より漏話を低減できるという利点がある。
【００３６】
【発明の効果】
請求項１記載の発明に係るモジュラジャックにあっては、モジュラプラグが着脱自在に挿入されるプラグ挿入口を開口したハウジングと、外部電線に接続される複数の端子片よりなりハウジング外に位置する接続端子部と、プラグ挿入口を通してハウジングに挿入されたモジュラプラグの接触子に弾接するようにハウジング内に配列され前記各端子片にそれぞれ電気的に接続された複数のコンタクトよりなるコンタクト部と、を有するモジュラジャックであって、可撓性を有し複数の線路よりなる導体パターンを備えた長尺のプリント配線板の一端部から前記コンタクト部までの導体パターンの線路を信号の往路又は復路とし、前記コンタクト部から前記プリント配線板の他端部までの導体パターンの線路を信号の復路又は往路とするよう、コンタクト部から接続端子部までを前記プリント配線板に一体形成され、前記プリント配線板は、往路の導体パターンと復路の導体パターンとがハウジング外部にて重なるように当該プリント配線板の長尺の略中央部を曲折して折り返されて、当該プリント配線板の該略中央部の表面部分の導体パターンが前記コンタクト部としてモジュラプラグと接触可能なように前記ハウジング内に収容され、前記接続端子部が、前記ハウジングの外部へ延出した前記プリント配線板の一端部および他端部を重ねあわせた位置に設けられたので、コンタクト部から接続端子部までをプリント配線板に一体形成できたので、発明が解決しようとする課題に挙げたような、継ぎ目による不連続部分を除去して伝送性能の劣化を防止でき、高周波信号の伝送に都合のよいものとなっているという効果を奏する。このとき、前記プリント配線板の略中央部で折り返して、前記コンタクト部を該略中央部に設けたので、コンタクト部の姿勢の維持が確実に行え、よってより確実にモジュラプラグの接触子とコンタクト部とを接触させることができるという効果を奏する。さらに、可撓性を有し複数の線路よりなる導体パターンを備えた長尺のプリント配線板の一端部から前記コンタクト部までの導体パターンの線路を信号の往路又は復路とし、前記コンタクト部から前記プリント配線板の他端部までの導体パターンの線路を信号の復路又は往路とするよう、コンタクト部から接続端子部までを前記プリント配線板に一体形成され、前記プリント配線板は、往路の導体パターンと復路の導体パターンとがハウジング外部にて重なるように当該プリント配線板の長尺の略中央部を曲折して折り返したので、漏話を低減しやすいという効果を奏する。またさらに、前記接続端子部が、前記ハウジングの外部へ延出した前記プリント配線板の一端部および他端部を重ねあわせた位置に設けられたので、製造し易いという効果を奏する。
【図面の簡単な説明】
【図１】本発明を説明するための第一の参考形態のモジュラジャックの分解斜視図である。
【図２】同モジュラジャックの外観を示す斜視図である。
【図３】プリント配線板のコンタクト部の平面図である。
【図４】プリント配線板のコンタクト部の平面図である。
【図５】モジュラプラグの同モジュラジャックへの挿入動作を示す側面図であり、（ａ）は挿入前、（ｂ）は挿入後の状態を示している。
【図６】モジュラプラグを同モジュラジャックに挿入した状態において、ハウジングが移動した場合にプリント配線板が撓む様子を示した側面図である。
【図７】プリント配線板の導体パターンを示す平面図である。
【図８】プリント配線板の導体パターンを示す平面図である。
【図９】プリント配線板の導体パターンを示す平面図である。
【図１０】プリント配線板の導体パターンを示す平面図である。
【図１１】本発明を説明するための第二の参考形態のモジュラジャックの断面図である。
【図１２】同モジュラジャックにモジュラプラグを挿入した状態の断面図である。
【図１３】同モジュラジャックの断面図である。
【図１４】同モジュラジャックにモジュラプラグを挿入した状態の断面図である。
【図１５】本発明を説明するための第三の参考形態のモジュラジャックの断面図である。
【図１６】同モジュラジャックにモジュラプラグを挿入した状態の断面図である。
【図１７】同モジュラジャックの断面図である。
【図１８】同モジュラジャックにモジュラプラグを挿入した状態の断面図である。
【図１９】本発明のモジュラジャックの断面図である。
【図２０】本発明のモジュラジャックにモジュラプラグを挿入した状態の断面図である。
【図２１】本発明のモジュラジャックの参考例である。
【図２２】同上の参考例のモジュラジャックにモジュラプラグを挿入した状態の断面図である。
【図２３】本実施の形態のプリント配線板の導体パターンを示す平面図である。
【図２４】従来のモジュラジャックの側面図である。
【図２５】従来のモジュラジャックの側面図である。
【図２６】従来のモジュラジャックの要部の斜視図である。
【符号の説明】
１１    ハウジング
１１ａ  プラグ挿入口
１２    プリント配線板
１２ａ  接続端子部
１２ｂ  コンタクト部
１２ｃ  コンタクト
１２ｅ  端子片
１４    支持部材
【図１】
0004428765.tif 000002
【図２】
0004428765.tif 000003
【図３】
0004428765.tif 000004
【図４】
0004428765.tif 000005
【図５】
0004428765.tif 000006
【図６】
0004428765.tif 000007
【図７】
0004428765.tif 000008
【図８】
0004428765.tif 000009
【図９】
0004428765.tif 000010
【図１０】
0004428765.tif 000011
【図１１】
0004428765.tif 000012
【図１２】
0004428765.tif 000013
【図１３】
0004428765.tif 000014
【図１４】
0004428765.tif 000015
【図１５】
0004428765.tif 000016
【図１６】
0004428765.tif 000017
【図１７】
0004428765.tif 000018
【図１８】
0004428765.tif 000019
【図１９】
0004428765.tif 000020
【図２０】
0004428765.tif 000021
【図２１】
0004428765.tif 000022
【図２２】
0004428765.tif 000023
【図２３】
0004428765.tif 000024
【図２４】
0004428765.tif 000025
【図２５】
0004428765.tif 000026
【図２６】
0004428765.tif 000027